(57)【特許請求の範囲】
【請求項１】
階層伝送により映像信号がエラー耐性の弱い弱階層とエラー耐性の強い強階層で同時伝送される放送信号を受信する受信装置であって、
前記放送信号を選局し復調する複数の放送信号受信部と、
該複数の放送信号受信部で選局され復調された複数の信号が供給され、該複数の信号の全てをダイバシティ合成した第１の受信信号を出力する第１の動作モードと、前記複数の信号のうち少なくも２つの信号をダイバシティ合成した第２の受信信号と前記複数の信号のうち残る信号に基づく第３の受信信号を出力する第２の動作モードを有するダイバシティ合成部と、
前記第１の動作モードでは前記ダイバシティ合成部で生成された前記第１の受信信号が、前記第２の動作モードでは前記ダイバシティ合成部で生成された前記第２の受信信号が供給され、これをデコードして前記弱階層ないし強階層のいずれかの階層の映像・音声信号を選択して出力するデコード部と、
前記放送信号の受信状態に基づき、該受信状態が良好な場合には前記弱階層の、良好でない場合には前記強階層の映像・音声信号を前記デコード部が選択して出力するための切換判定信号を生成する切換判定部と、
該切換判定部で生成された前記切換判定信号に基づき前記ダイバシティ合成部の動作を制御し、前記複数の放送信号受信部の各々が選局するチャンネルを制御するサーチ制御部とを有し、
該サーチ制御部は、
前記切換判定部の切換判定信号が前記弱階層の映像・音声信号を出力するように指示している場合には、前記ダイバシティ合成部が前記第１の動作モードで動作し、前記複数の放送受信部の全てが同一のチャンネルを受信するように制御し、
前記切換判定部の切換判定信号が前記強階層の映像・音声信号を出力するように指示している場合には、前記ダイバシティ合成部が前記第２の動作モードで動作し、前記放送受信部のうち前記第３の受信信号を生成する放送受信部においてはチャンネルサーチを行い、該チャンネルサーチは、前記切換判定部が前記強階層の映像・音声信号を出力するように指示した後、所定時間をおいて開始されるように制御する
ことを特徴とする受信装置。
【請求項２】
階層伝送により映像信号がエラー耐性の弱い弱階層とエラー耐性の強い強階層で同時伝送される放送信号を受信する受信装置であって、
前記放送信号を選局し復調する複数の放送信号受信部と、
該複数の放送信号受信部で選局され復調された複数の信号が供給され、該複数の信号の全てをダイバシティ合成した第１の受信信号を出力する第１の動作モードと、前記複数の信号のうち少なくも２つの信号をダイバシティ合成した第２の受信信号と前記複数の信号のうち残る信号に基づく第３の受信信号を出力する第２の動作モードを有するダイバシティ合成部と、
前記ダイバシティ合成部で生成された前記第１の受信信号又は前記第２の受信信号が供給された場合には、これをデコードして前記弱階層又は強階層のいずれかの階層の映像・音声信号を選択して出力するデコード部と、
前記放送信号の受信状態に基づき、該受信状態が良好な場合には前記弱階層の、良好でない場合には前記強階層の映像・音声信号を前記デコード部が選択して出力するための第１の切換判定信号を生成し、また前記強階層の映像信号の表示映像にブロックノイズ又はフリーズが発生する程度に前記受信状態が悪いことを示す第２の切換判定信号を生成し、また前記デコード部におけるデコードに際して同期がとれない程度に前記受信状態が悪いことを示す第３の切換判定信号を生成する切換判定部と、
該切換判定部で生成された前記第１、第２及び第３の切換判定信号に基づき前記ダイバシティ合成部の動作を制御し、前記複数の放送信号受信部の各々が選局するチャンネルを制御するサーチ制御部とを有し、
該サーチ制御部は、
前記切換判定部の第１の切換判定信号が前記弱階層の映像・音声信号を出力するように指示している場合には、前記ダイバシティ合成部が前記第１の動作モードで動作して出力信号を前記デコード部へ供給し、前記複数の放送受信部の全てが同一のチャンネルを受信するように制御し、
前記切換判定部の第１の切換判定信号が前記強階層の映像・音声信号を出力するように指示しており、前記第２及び第３の切換判定信号がともに前記した程度よりは受信状態が良いことを示す場合には、第１の所定時間を経過した後に前記ダイバシティ合成部が前記第２の動作モードで動作し、前記放送受信部のうち前記第２の受信信号を前記デコード部へ供給し、前記第３の受信信号を生成する放送受信部においては同じ地域内の中継局に対するチャンネルサーチを行うよう制御し、
前記切換判定部の第１の切換判定信号が前記強階層の映像・音声信号を出力するように指示しており、前記第２の切換判定信号が前記した程度よりは受信状態が悪いことを示し、前記第３の切換判定信号が前記した程度よりは受信状態が良いことを示す場合には、第２の所定時間を経過した後に前記ダイバシティ合成部が前記第２の動作モードで動作し、前記放送受信部のうち前記第２の受信信号を前記デコード部へ供給し、前記第３の受信信号を生成する放送受信部においては中継局と他の地域を含めた系列局に対するチャンネルサーチを行うよう制御し、
前記切換判定部の第１の切換判定信号が前記強階層の映像・音声信号を出力するように指示しており、前記第２の切換判定信号が前記した程度よりは受信状態が悪いことを示し、前記第３の切換判定信号が前記した程度よりは受信状態が悪いことを示す場合には、第３の所定時間を経過した後に前記ダイバシティ合成部が前記第１の動作モードで動作し、その出力信号に基づき前記放送受信部においては中継局と他の地域を含めた系列局に対するチャンネルサーチを行うよう
制御することを特徴とする受信装置。
【請求項３】
請求項２に記載の受信装置であって、前記サーチ制御部は、前記第１の所定時間として前記第２の所定時間よりも長い時間を設定し、さらに、前記第３の所定時間として前記第２の所定時間よりも短い時間を設定することを特徴とする受信装置。
【請求項４】
請求項１乃至請求項３のいずれか１項に記載の受信装置であって、前記サーチ制御部は、チャンネルサーチを行っている際にチャンネルサーチを開始する直前に受信していたチャンネルの受信状態が改善した場合には、前記チャンネルサーチを中止し、前記ダイバシティ合成部が前記第１の動作モードで動作して出力信号を前記デコード部へ供給し、前記複数の放送受信部の全てが前記チャンネルサーチを開始する直前に受信していたチャンネルを受信するように制御することを特徴とする受信装置。
【請求項５】
階層伝送により映像信号がエラー耐性の弱い弱階層とエラー耐性の強い強階層で同時伝送される放送信号を、複数の放送受信部を用いて選局し視聴するための受信方法であって、
前記弱階層で伝送される放送信号を視聴中に該信号の品質が低下した場合には、前記強階層で伝送される放送信号を視聴するよう切換え、前記強階層で伝送される放送信号を視聴中に該信号の品質が回復した場合には、前記弱階層で伝送される放送信号を視聴するように切換える切換えステップと、
該切換えステップで弱階層から強階層へ切換えた後、該強階層で伝送される放送信号を視聴する状態が所定時間継続した場合には、信号の品質が高い他のチャンネルを捜すチャンネルサーチステップを有し、
該チャンネルサーチステップは、
前記複数の放送受信部における所定の放送受信部を用いて前記放送信号の中継局をサーチする中継局サーチステップと、
該中継局サーチステップで新たな中継局を発見した場合には、該中継局からの信号の品質がこれまで視聴していた信号の品質よりも高いか否かを判定する判定ステップを有し、
該判定ステップでの判定の結果、新たに発見した中継局からの信号の方が高い品質である場合には該中継局からの信号を受信し、新たに発見した中継局からの信号の方が高い品質ではない場合、又は前記チャンネルサーチステップで新たな中継局を発見しない場合には、これまで視聴していた信号を継続して受信することを特徴とする受信方法。
【発明の詳細な説明】
【技術分野】
【０００１】
本発明は、通信や放送を移動しながら受信する受信装置に係り、特に地上デジタル放送を移動受信しながらチャンネルサーチを行う受信装置に関する。
【背景技術】
【０００２】
全ての映像・音声データがＭＰＥＧ２トランスポートストリーム形式で送信される日本の地上デジタル放送において、各放送局は放送地域内の隅々にまで電波が行き渡るように中継局の整備を進めている。各中継局が放送する番組内容は同一であり、またデジタル混信による受信障害を回避することなどを目的として、各中継局は互いに異なる周波数（以下、チャンネル）を使用して放送電波を送出している場合がある。一方で、各放送局は系列と呼ばれるネットワークを構成し、放送番組の共有・配信などを実施しており、同一系列の放送局（以下、系列局）は番組内容が同一である可能性が高い。
【０００３】
以上のことから、自動車などに搭載された地上デジタル放送を受信する受信装置では、現在の受信エリアから他の受信エリアに移動すると受信可能なチャンネルが異なるために、それまで視聴していた番組が受信できない場合がある。この時、継続して番組を受信するためには、視聴していた番組の中継局又は系列局にチャンネルを設定する操作（以下、チャンネルサーチ）を行う必要がある。
【０００４】
しかしながら、チャンネルサーチを行っている間は、番組を受信することができない。特に、車載向けの受信装置のように、受信エリア間を頻繁に移動する場合は、チャンネルサーチを行う度に番組の視聴が中断してしまうという問題があった。
この問題を解決するため、特許文献１では、複数のチューナを設け、一のチューナで一の局を受信中に他のチューナで他の局をサーチする方法が開示されている。
【先行技術文献】
【特許文献】
【０００５】
【特許文献１】特開２００２−３２０１６５号公報
【発明の概要】
【発明が解決しようとする課題】
【０００６】
しかしながら特許文献１に示した受信方法では、チャンネルサーチをどのようなタイミングで行うかについては検討がなされていない。チャンネルサーチの際は、番組を継続受信するために使用されるアンテナ数がチャンネルサーチを行っていない通常の受信時よりも減少するため、受信感度が低下する。このため、チャンネルサーチを行うタイミングが不適切な場合、受信感度の低下による映像・音声の乱れが発生し、また受信状態の良否の変動が頻繁に発生するとチャンネルサーチが頻繁に行われてその間は受信感度の不良が長時間続いてしまう。
【０００７】
本発明は、上記問題点を鑑みて考案されたものであり、その目的は、チャンネルサーチを行っている間においても、継続して番組を視聴可能な受信装置において、チャンネルサーチを適切なタイミングで行い、ユーザが常に好適に放送番組を視聴可能な受信装置を提供することにある。
【課題を解決するための手段】
【０００８】
前記目的を達成するため本発明は、階層伝送により映像信号がエラー耐性の弱い弱階層とエラー耐性の強い強階層で同時伝送される放送信号を受信する受信装置であって、前記放送信号を選局し復調する複数の放送信号受信部と、該複数の放送信号受信部で選局され復調された複数の信号が供給され、該複数の信号の全てをダイバシティ合成した第１の受信信号を出力する第１の動作モードと、前記複数の信号のうち少なくも２つの信号をダイバシティ合成した第２の受信信号と前記複数の信号のうち残る信号に基づく第３の受信信号を出力する第２の動作モードを有するダイバシティ合成部と、前記第１の動作モードでは前記ダイバシティ合成部で生成された前記第１の受信信号が、前記第２の動作モードでは前記ダイバシティ合成部で生成された前記第２の受信信号が供給され、これをデコードして前記弱階層ないし強階層のいずれかの階層の映像・音声信号を選択して出力するデコード部と、前記放送信号の受信状態に基づき、該受信状態が良好な場合には前記弱階層の、良好でない場合には前記強階層の映像・音声信号を前記デコード部が選択して出力するための切換判定信号を生成する切換判定部と、該切換判定部で生成された前記切換判定信号に基づき前記ダイバシティ合成部の動作を制御し、前記複数の放送信号受信部の各々が選局するチャンネルを制御するサーチ制御部とを有し、該サーチ制御部は、前記切換判定部の切換判定信号が前記弱階層の映像・音声信号を出力するように指示している場合には、前記ダイバシティ合成部が前記第１の動作モードで動作し、前記複数の放送受信部の全てが同一のチャンネルを受信するように制御し、前記切換判定部の切換判定信号が前記強階層の映像・音声信号を出力するように指示している場合には、前記ダイバシティ合成部が前記第２の動作モードで動作し、前記放送受信部のうち前記第３の受信信号を生成する放送受信部においてはチャンネルサーチを行うよう制御することを特徴としている。
【０００９】
また本発明は、階層伝送により映像信号がエラー耐性の弱い弱階層とエラー耐性の強い強階層で同時伝送される放送信号を受信する受信装置であって、前記放送信号を選局し復調する複数の放送信号受信部と、該複数の放送信号受信部で選局され復調された複数の信号が供給され、該複数の信号の全てをダイバシティ合成した第１の受信信号を出力する第１の動作モードと、前記複数の信号のうち少なくも２つの信号をダイバシティ合成した第２の受信信号と前記複数の信号のうち残る信号に基づく第３の受信信号を出力する第２の動作モードを有するダイバシティ合成部と、前記ダイバシティ合成部で生成された前記第１の受信信号ないし前記第２の受信信号が供給された場合には、これをデコードして前記弱階層ないし強階層のいずれかの階層の映像・音声信号を選択して出力するデコード部と、前記放送信号の受信状態に基づき、該受信状態が良好な場合には前記弱階層の、良好でない場合には前記強階層の映像・音声信号を前記デコード部が選択して出力するための第１の切換判定信号を生成し、また表示する画像で検知できる程度に前記受信状態が悪いことを示す第２の切換判定信号を生成し、また前記デコード部におけるデコードに際して同期がとれない程度に前記受信状態が悪いことを示す第３の切換判定信号を生成する切換判定部と、該切換判定部で生成された前記第１、第２及び第３の切換判定信号に基づき前記ダイバシティ合成部の動作を制御し、前記複数の放送信号受信部の各々が選局するチャンネルを制御するサーチ制御部とを有し、該サーチ制御部は、前記切換判定部の第１の切換判定信号が前記弱階層の映像・音声信号を出力するように指示している場合には、前記ダイバシティ合成部が前記第１の動作モードで動作して出力信号を前記デコード部へ供給し、前記複数の放送受信部の全てが同一のチャンネルを受信するように制御し、前記切換判定部の第１の切換判定信号が前記強階層の映像・音声信号を出力するように指示しており、前記第２及び第３の切換判定信号がともに前記した程度よりは受信状態が良いことを示す場合には、第１の所定時間を経過した後に前記ダイバシティ合成部が前記第２の動作モードで動作し、前記放送受信部のうち前記第２の受信信号を前記デコード部へ供給し、前記第３の受信信号を生成する放送受信部においては同じ地域内の中継局に対するチャンネルサーチを行うよう制御し、前記切換判定部の第１の切換判定信号が前記強階層の映像・音声信号を出力するように指示しており、前記第２の切換判定信号が前記した程度よりは受信状態が悪いことを示し、前記第３の切換判定信号が前記した程度よりは受信状態が良いことを示す場合には、第２の所定時間を経過した後に前記ダイバシティ合成部が前記第２の動作モードで動作し、前記放送受信部のうち前記第２の受信信号を前記デコード部へ供給し、前記第３の受信信号を生成する放送受信部においては中継局または他の地域を含めた系列局に対するチャンネルサーチを行うよう制御し、前記切換判定部の第１の切換判定信号が前記強階層の映像・音声信号を出力するように指示しており、前記第２の切換判定信号が前記した程度よりは受信状態が悪いことを示し、前記第３の切換判定信号が前記した程度よりは受信状態が悪いことを示す場合には、第３の所定時間を経過した後に前記ダイバシティ合成部が前記第１の動作モードで動作し、その出力信号に基づき前記放送受信部においては中継局または他の地域を含めた系列局に対するチャンネルサーチを行うよう制御することを特徴としている。
【００１０】
また本発明は、階層伝送により映像信号がエラー耐性の弱い弱階層とエラー耐性の強い強階層で同時伝送される放送信号を、複数の放送受信部を用いて選局し視聴するための受信方法であって、前記弱階層で伝送される放送信号を視聴中に該信号の品質が低下した場合には、前記強階層で伝送される放送信号を視聴するよう切換え、前記強階層で伝送される放送信号を視聴中に該信号の品質が回復した場合には、前記弱階層で伝送される放送信号を視聴するように切換える切換えステップと、該切換えステップで弱階層から強階層へ切換えた後、該強階層で伝送される放送信号を視聴する状態が所定時間継続した場合には、信号の品質が高い他のチャンネルを捜すチャンネルサーチステップを有し、該チャンネルサーチステップは、前記複数の放送受信部における所定の放送受信部を用いて前記放送信号の中継局をサーチする中継局サーチステップと、該中継局サーチステップで新たな中継局を発見した場合には、該中継局からの信号の品質がこれまで視聴していた信号の品質よりも高いか否かを判定する判定ステップを有し、該判定ステップでの判定の結果、新たに発見した中継局からの信号の方が高い品質である場合には該中継局からの信号を受信し、新たに発見した中継局からの信号の方が高い品質ではない場合、ないし前記チャンネルサーチステップで新たな中継局を発見しない場合には、これまで視聴していた信号を継続して受信することを特徴としている。
【発明の効果】
【００１１】
本発明によれば、チャンネルサーチを行っている場合においても、継続して番組の視聴を可能とし、更には、チャンネルサーチを適切なタイミングで行うことができるという効果がある。
【図面の簡単な説明】
【００１２】
【図１】第１の実施形態における受信装置１００の構成を示すブロック図である。
【図２】第１の実施形態における切換判定部１６での切換判定信号の生成処理を示すタイミング図である。
【図３】第１の実施形態におけるサーチ制御部１８の動作を示すフローチャートである。
【図４】ステップＳ３０３のチャンネルサーチ動作を示すフローチャートである。
【図５】第２の実施形態における切換判定部１６での切換判定信号の生成処理を示すタイミング図である。
【図６】第２の実施形態におけるサーチ制御部１８の動作を示すフローチャートである。
【図７】ステップＳ６０３のチャンネルサーチ動作を示すフローチャートである。
【図８】第２の実施形態における系列局の探索方法を説明するための受信装置１００の構成を示すブロック図である。
【図９】第２の実施形態における記憶部８１に格納するデータベースの一例である。
【図１０】第３の実施形態におけるチャンネルサーチの動作を説明するための受信装置１００の構成を示すブロック図である。
【図１１】第３の実施形態において、信号品質値の時間変化を示す一例である。
【図１２】第３の実施形態において、信号品質値の時間変化を示す一例である。
【図１３】第４の実施形態における受信装置１００の構成を示すブロック図である。
【図１４】第４の実施形態におけるチャンネルサーチ動作を示すフローチャートである。
【発明を実施するための形態】
【００１３】
以下、本発明の実施形態につき、図面に基づいて説明する。
なお、本発明の実施形態における受信装置では、日本の地上デジタル放送の伝送方式であるＩＳＤＢ−Ｔ（Ｉｎｔｅｇｒａｔｅｄ  Ｓｅｒｖｉｃｅｓ  Ｄｉｇｉｔａｌ  Ｂｒｏａｄｃａｓｔｉｎｇ  ｆｏｒ  Ｔｅｒｒｅｓｔｒｉａｌ）による放送信号を受信することができる。ＩＳＤＢ−Ｔでは、１チャンネルの伝送帯域を１３個のセグメントに分割し、それぞれのセグメントを組合せて、最大３階層までの階層伝送を行うことができる。現在、この階層伝送を利用し、１２個のセグメントを使用して固定受信端末向けの高品質な放送（以下、１２セグ放送）と、残りの１個のセグメントを使用して携帯受信端末向けの低品質な放送（以下、ワンセグ放送）が行われている。１２セグ放送とワンセグ放送は、同じ番組内容を放送するサイマル放送が主流となっている。ここで、１２セグ放送は、伝送容量が大きく高品質な放送であるがエラー耐性に弱く、放送電波の受信状態が比較的良好でないと受信できない。一方、ワンセグ放送は、伝送容量が小さく低品質な放送であるがエラー耐性に強く、放送電波の受信状態が比較的劣化していても受信できるという特徴がある。本発明の実施形態における受信装置では、１２セグ放送とワンセグ放送の両方を受信可能であり、放送電波の受信状態の良否に応じてどちらか一方の映像・音声信号を選択してディスプレイやスピーカなどに出力することができる。
【実施例１】
【００１４】
図１は、本発明の第１の実施形態における受信装置１００の構成を示すブロック図である。
アンテナ部１０ａ〜１０ｄは放送電波を受信し、それぞれ対応する選局・復調部１１ａ〜１１ｄに供給する。選局・復調部１１ａ〜１１ｄは、サーチ制御部１８の指示に従い、供給された放送電波の中から所定のチャンネルを選局及び復調処理し、復調信号をダイバ合成部１２に供給する。ダイバ合成部１２は、選局・復調部１１ａ〜１１ｄより供給された復調信号をダイバ合成する。ここで、ダイバ合成部１２は、サーチ制御部１８の指示に従い、選局・復調部１１ａ〜１１ｄより供給された４つの復調信号を用いたダイバ合成（以下、４ダイバ合成）や、任意の２つの選局・復調部（例えば、１１ａと１１ｂ）より供給された復調信号と、残りの２つの選局・復調部（例えば、１１ｃと１１ｄ）より供給された復調信号をそれぞれ独立にダイバ合成（以下、２＋２ダイバ合成）することができる。ダイバ合成部１２は、４ダイバ合成を行っている場合は、４ダイバ合成した出力信号を誤り訂正部１３ａ又は１３ｂのどちらか一方に供給し、また２＋２ダイバ合成を行っている場合は、ダイバ合成した２つの出力信号の一方を誤り訂正部１３ａ、他方を誤り訂正部１３ｂにそれぞれ供給する。
【００１５】
なお、ダイバ合成部１２におけるダイバ合成方法はどのような方法でも良く、例えば、選択合成法、等利得合成法、最大比合成法などを用いることができる。選択合成法は、最大電力の信号を選択してその他の信号は破棄する方法である。等利得合成法は、各信号の位相を同一にして合成する方法である。最大比合成法とは、各信号の位相を同一にし、更に信号電力に比例した重みを付けて合成する方法である。
【００１６】
誤り訂正部１３ａ及び１３ｂは、ダイバ合成部１２からの出力信号を誤り訂正処理し、トランスポートストリーム信号（以下、ＴＳ信号）を出力する。デコード部１４は、誤り訂正部１３ａより供給されたＴＳ信号をデコード処理し、切換判定部１６からの指示に従い、デコードした１２セグ放送又はワンセグ放送の映像・音声信号のどちらか一方を出力部１５に供給する。出力部１５は、供給された映像・音声信号をディスプレイやスピーカ等に出力する。
【００１７】
切換判定部１６は、誤り訂正部１３ａ及び１３ｂにおけるビット誤り率、ダイバ合成部１２でダイバ合成した信号のＣＮＲ（Ｃａｒｒｉｅｒ  ｔｏ  Ｎｏｉｓｅ  Ｒａｔｉｏ）、選局・復調部１１ａ〜１１ｄでの選局チャンネルの同期状態、ＡＧＣ（Ａｕｔｏ  Ｇａｉｎ  Ｃｏｎｔｒｏｌ）制御電圧値、変調誤差比（ＭＥＲ：Ｍｏｄｕｌａｔｉｏｎ  Ｅｒｒｏｒ  Ｒａｔｉｏ）、復調信号のＣＮＲなどの情報から算出した信号品質値に基づいて、１２セグ放送とワンセグ放送のどちらを選択すべきかを判定し、判定結果を示す切換判定信号をデコード部１４及びサーチ制御部１８に供給する。
【００１８】
切換判定部１６が、１２セグ放送とワンセグ放送のどちらを選択するかの判断は、例えば、信号品質値（例えば１２セグ放送のビットエラー率）が所定の閾値以上の場合は１２セグ放送を選択し、信号品質値が閾値以下の場合はワンセグ放送を選択すれば良い。但し、ここでは信号品質値が大きいほど選局チャンネルの受信状態は良好、小さいほど選局チャンネルの受信状態は不良であるとし、以降の説明でも同様とする。また、別の例として、例えば、切換判定部１６は、信号品質値が閾値を越えてから所定の時間を経過したら１２セグ放送からワンセグ放送、又はワンセグ放送から１２セグ放送に切換えることで、信号品質値が閾値付近を変動するような場合に１２セグ放送とワンセグ放送の頻繁な切換えの発生を防止することができる。ここで、所定の閾値としては、例えば、１２セグ放送のディスプレイ映像にブロックノイズが発生しない最小の信号品質値、或いは１２セグ放送のディスプレイ映像にブロックノイズがある程度発生する信号品質値を設定すれば良い。更には、切換判定部１６は、所定の閾値Ａ及び閾値Ｂ（閾値Ａ＞閾値Ｂ）を設定し、１２セグ放送を選択している際には信号品質値が閾値Ｂ以下となった場合にワンセグ放送に切換え、ワンセグ放送を選択している際には信号品質値が閾値Ａ以上となった場合に１２セグ放送に切換えることによっても、１２セグ放送とワンセグ放送の頻繁な切換えの発生を防止することができる。
【００１９】
番組情報抽出部１７は、誤り訂正部１３ｂより供給されたＴＳ信号から、ＮＩＴ（Ｎｅｔｗｏｒｋ  Ｉｎｆｏｒｍａｔｉｏｎ  Ｔａｂｌｅ）、ＢＩＴ（Ｂｒｏａｄｃａｓｔｅｒ  Ｉｎｆｏｒｍａｔｉｏｎ  Ｔａｂｌｅ）、ＳＤＴ（Ｓｅｒｖｉｃｅ  Ｄｅｓｃｒｉｐｔｉｏｎ  Ｔａｂｌｅ）、ＥＩＴ（Ｅｖｅｎｔ  Ｉｎｆｏｒｍａｔｉｏｎ  Ｔａｂｌｅ）など、選局チャンネルの放送番組内容に関する各種の情報を抽出し、サーチ制御部１８に供給する。
サーチ制御部１８は、受信装置１００のチャンネルサーチの動作全体を制御する。
【００２０】
次に、図２〜図４を参照して、第１の実施形態における受信装置１００のチャンネルサーチ動作を説明する。
図２は、切換判定部１６における切換判定信号の生成処理を示すタイミング図であって、２００は信号品質値の時間変化と閾値、２０１は１２セグ放送とワンセグ放送の選択状況の時間変化を示している。切換判定部１６は、信号品質値が閾値以上の場合（時刻＜ｔ１、時刻＞ｔ３）は１２セグ放送を選択し、信号品質値が閾値以下の場合（ｔ１＜時刻＜ｔ３）はワンセグ放送を選択するように動作する。
【００２１】
一方、図３は、第１の実施形態におけるサーチ制御部１８の動作を示すフローチャートである。同図におけるフローチャートの開始時点では、切換判定部１６において信号品質値は閾値よりも大きく、このため切換判定部１６は１２セグ放送を選択し、ユーザは所望の放送番組を高品質な１２セグ放送で視聴しているとする。この時、選局・復調部１１ａ〜１１ｄはユーザが指定した所望の放送番組に対応するチャンネルを選局し、ダイバ合成部１２は選局・復調部１１ａ〜１１ｄより出力された復調信号を用いて４ダイバ合成し、出力信号を誤り訂正部１３ａで誤り訂正処理し、誤り訂正処理後のＴＳ信号をデコード部１４でデコード処理し、デコード後の１２セグ放送の映像・音声信号を出力部１５に供給する。これにより、ユーザは所望の放送番組を４本のアンテナを使用して、高品質な１２セグ放送を視聴することができる。ここで、１２セグ放送は比較的エラー耐性に弱いが、４本のアンテナを用いることにより、安定した放送電波の受信が可能となる。
【００２２】
自動車の移動等により信号品質値が閾値以下となった場合（図２の時刻ｔ１）、切換判定部１６は、１２セグ放送からワンセグ放送への切換えを指示する切換判定信号を出力する。デコード部１４は、この切換判定信号を受け取ると、ワンセグ放送の映像・音声信号を出力部１５に供給する。これにより、ユーザは１２セグ放送からワンセグ放送に切換わって所望の放送番組を視聴することになる。
【００２３】
一方、サーチ制御部１８は、１２セグ放送からワンセグ放送への切換えを指示する切換判定信号を受け取ると（ステップＳ３００でＹＥＳ判定）、次に、ステップＳ３０１及びＳ３０２の判定処理に進む。ステップＳ３０１では、切換判定信号によりワンセグ放送から１２セグ放送への切換え指示を受け取った場合は、ステップＳ３００に戻る。ステップＳ３０２では、ワンセグ放送に切換わってからの連続受信時間が所定時間Ｔ１（切換判定部１６が１２セグ放送からワンセグ放送への切換判定信号を出力してから、ワンセグ放送から１２セグ放送への切換判定信号を出力するまでの最小時間よりも大きいとする）が経過したか否かを判定し、Ｔ１時間が経過した場合（図２の時刻ｔ２）にはステップＳ３０３に進み、チャンネルサーチを実行する。１２セグ放送からワンセグ放送へ切換えた後、さらに所定時間Ｔ１だけ経過した後にチャンネルサーチを実行することにより、１２セグ放送からワンセグ放送への一時的な受信状態の低下による不要なチャンネルサーチの発生を低減している。
【００２４】
図４は、ステップＳ３０３のチャンネルサーチ動作を示すフローチャートである。
まず、ステップＳ４００において、サーチ制御部１８は、選局・復調部１１ａ〜１１ｄを２つずつ２組の系統に分割し、一方の系統は現在受信中の放送番組を継続受信する「受信系統」、他方の系統はチャンネルサーチを行う「サーチ系統」に設定する。ここで、選局・復調部１１ａ〜１１ｄを２組の系統へ分割する方法は、予め決められた選局・復調部の組み合わせとしても良いし、或いは、チャンネルサーチの際にも「受信系統」でなるべく安定して放送番組を受信するために、選局・復調部１１ａ〜１１ｄより復調信号のＣＮＲを取得しＣＮＲが大きい２つの選局・復調部を「受信系統」、残り２つの選局・復調部を「サーチ系統」に設定しても良い。更には、「受信系統」でダイバ合成された信号のＣＮＲと「サーチ系統」でダイバ合成された信号のＣＮＲが同等となるように、選局・復調部１１ａ〜１１ｄを２組の系統へ分割しても良い。
また、サーチ制御部１８は、ダイバ合成部１２に２＋２ダイバ合成を指示し、ダイバ合成部１２は、「受信系統」より供給された復調信号をダイバ合成して誤り訂正部１３ａに供給し、「サーチ系統」より供給された復調信号をダイバ合成して誤り訂正部１３ｂに供給する。これにより、チャンネルサーチを行っている間においても、ユーザは所望の放送番組を「受信系統」に指定された２本のアンテナを使用して、放送番組を継続視聴することができる。このとき視聴しているワンセグ放送はエラー耐性に強いため、４本のアンテナを使用しなくても、安定した放送電波の受信が可能である。
【００２５】
次に、ステップＳ４０１において、サーチ制御部１８は、「サーチ系統」を使用して、現在受信中の放送番組の中継局で、且つその中継局の信号品質値が「受信系統」の信号品質値よりも大きいチャンネルを探索する。ここで、探索すべき中継局の送信チャンネルは、探索対象とする放送局のＮＩＴ情報の中に全て記載されており、サーチ制御部１８は予めこれら中継局のチャンネル情報をメモリに格納しておく。
【００２６】
以下、中継局の探索方法を説明する。サーチ制御部１８は、「サーチ系統」の選局・復調部に中継局のチャンネルを選局させ、選局チャンネルのＮＩＴ情報を番組情報抽出部１７より抽出する。サーチ制御部１８は、ＮＩＴ情報に含まれている放送局を識別するためのネットワークＩＤを参照し、「受信系統」で現在受信している放送番組のネットワークＩＤと一致していれば中継局、一致していなければ中継局ではないと判断する。このようにネットワークＩＤを比較する理由は、中継局の送信チャンネルであっても他の放送局がこのチャンネルを使用して放送を行っている可能性があるためである。全ての中継局のチャンネルを探索し、最も信号品質値が大きい中継局のチャンネルを特定する。
【００２７】
サーチ制御部１８は、上記手順により中継局を発見した場合（ステップＳ４０２でＹＥＳ判定）、次に発見した中継局の信号品質値と「受信系統」の信号品質値をそれぞれ比較し、発見した中継局の信号品質値が「受信系統」の信号品質値よりも大きい場合（ステップＳ４０３でＹＥＳ判定）、ステップＳ４０４に進む。ステップＳ４０４では、サーチ制御部１８は、選局・復調部１１ａ〜１１ｄに発見した中継局のチャンネルを選局させると共に、ダイバ合成部１２に４ダイバ合成を指示する。これにより、ユーザは所望の放送番組をチャンネルサーチ前と比較して受信状態が良好な中継局のチャンネルに切換えて受信することができる。チャンネルサーチ後、切換判定部１６で信号品質値が閾値以上を示し１２セグ放送が受信可能である場合は、ユーザはそれまで受信していたワンセグ放送から高品質な１２セグ放送に切換えて放送番組を視聴することができる（図２の時刻ｔ３）。
【００２８】
一方、全ての中継局の送信チャンネルを探索しても中継局を発見できなかった場合（ステップＳ４０２でＮＯ判定）、或いは、発見した中継局の信号品質値が「受信系統」の信号品質値よりも小さかった場合（ステップＳ４０３でＮＯ判定）には、ステップＳ４０５に進む。ステップＳ４０５では、サーチ制御部１８は、選局・復調部１１ａ〜１１ｄに「受信系統」で受信しているチャンネルを選局させると共に、ダイバ合成部１２に４ダイバ合成を指示する。これにより、ユーザはチャンネルサーチ前の受信状態に戻る。
【００２９】
サーチ制御部１８は、チャンネルサーチを行った後、所定時間Ｔ１を経過してもワンセグ放送の受信が継続された場合には、図３及び図４で説明したチャンネルサーチを繰り返し行う。これにより、自動車が移動して現在の中継局の受信エリアを外れて行く場合には、現在受信中のチャンネルよりも受信状態が良好な中継局のチャンネルを定期的に探索し、受信状態が良好な中継局を発見次第、この中継局のチャンネルに切換えて受信することができる。
【００３０】
以上のように、本発明の第１の実施形態においては、視聴中の放送番組の受信状態が劣化すると、番組の継続受信とチャンネルサーチを同時に実行し、受信状態が良好な中継局のチャンネルを見つけて切換える事ができる。チャンネルサーチを開始するタイミングを、１２セグ放送からワンセグ放送に切換わった後の所定時間（Ｔ１）後とすることで、チャンネルサーチの際に番組を継続受信するために使用するアンテナ数が減少しても、エラー耐性に強いワンセグ放送を安定して受信することができ、また１２セグ放送からワンセグ放送への一時的な受信状態の低下による不要なチャンネルサーチの発生を低減することができる。
【実施例２】
【００３１】
本発明の第２の実施形態を説明する。
第２の実施形態における受信装置１００の構成は、図１に示した第１の実施形態における受信装置１００の構成と同様であり、説明を省略する。
【００３２】
図５は、切換判定部１６における切換判定信号の生成処理を示すタイミング図である。同図において、５００は信号品質値の時間変化（変動１〜３の３種類の時間変化を記載）と、３つの閾値Ａ、Ｂ、Ｃを示している。ここで、閾値Ａ≧閾値Ｂ≧閾値Ｃであり、閾値Ａは、第１の実施形態と同様に１２セグ放送からワンセグ放送及びワンセグ放送から１２セグ放送への切換えを判定するための閾値である。また、閾値Ｂはワンセグ放送のディスプレイ映像にブロックノイズが発生又はワンセグ放送が正常にデコードできずディスプレイ映像がフリーズする程度の信号品質値を設定し、閾値Ｃは選局チャンネルの同期が外れる程度の信号品質値を設定する。また、５０１〜５０３は、１２セグ放送、ワンセグ放送、同期状態、非同期状態の４通りの選択状況についての時間変化を示しており、この順で信号品質値の変動２（実線で記載）、変動１及び３（破線で記載）に対する時間変化を示している。このように、第１の実施形態における切換判定部１６では、１２セグ放送とワンセグ放送の２つの選択状況について切換判定信号を出力していたが、第２の実施形態では、上記４通りの切換判定信号を出力するという違いがある。
【００３３】
図６は、第２の実施形態におけるサーチ制御部１８の動作を示すフローチャートである。同図のフローチャート開始時点では、図３での説明と同様に、切換判定部１６は１２セグ放送を選択し、ユーザは所望の放送番組につきアンテナ部１０ａ〜１０ｄを使用して高品質な１２セグ放送を視聴しているとする。
【００３４】
自動車の移動等により信号品質値（例えば１２セグ放送のビットエラー率を利用）が閾値Ａ以下となった場合（図５の時刻ｔ１）、切換判定部１６は、１２セグ放送からワンセグ放送への切換えを指示する切換判定信号を出力する。デコード部１４は、この切換判定信号を受け取ると、ワンセグ放送の映像・音声信号を出力部１５に供給する。これにより、ユーザは１２セグ放送からワンセグ放送に切換わって所望の放送番組を受信する。
【００３５】
一方、サーチ制御部１８は、切換判定信号により１２セグ放送からワンセグ放送への切換え指示を受け取ると（ステップＳ３００でＹＥＳ判定）、次に、ステップＳ３０１、Ｓ６００、Ｓ６０１、Ｓ６０２の判定処理に進む。ステップＳ３０１では、切換判定信号によりワンセグ放送から１２セグ放送への切換え指示を受け取った場合は、ステップＳ３００に戻る。ステップＳ６００では、ワンセグ放送に切換わってから信号品質値が閾値Ａ以下となる状態（図５の領域Ａ）の連続受信時間が所定時間Ｔ１を経過したか否かを判定し、Ｔ１時間を経過した場合（図５の変動１）はステップＳ３０３に進み、チャンネルサーチを実行する。また、ステップＳ６０１では、ワンセグ放送から同期状態への切換えを指示する切換判定信号を受け取ってから信号品質値（例えばワンセグ放送のビットエラー率を利用）が閾値Ｂ以下となる状態（図５の領域Ｂ）の連続受信時間が所定時間Ｔ２（Ｔ１＞Ｔ２）を経過したか否かを判定し、Ｔ２時間が経過した場合（図５の変動２）はステップＳ６０３に進み、チャンネルサーチ（中継局＋系列局）を実行する。更に、ステップＳ６０２では、同期状態から非同期状態への切換えを指示する切換判定信号を受け取ってから信号品質値が閾値Ｃ以下となる状態（図５の領域Ｃ）の連続受信時間が所定時間Ｔ３（Ｔ２＞Ｔ３）を経過したか否かを判定し、Ｔ３時間を経過した場合（図５の変動３）はステップＳ６０４に進み、「受信系統」を設けずに４本のアンテナを使用して４ダイバ合成によるチャンネルサーチを行う。
【００３６】
すなわち、領域Ａの状態でＴ１時間経過したと判定された場合（ステップＳ６００でＹＥＳ判定）とは、受信状態が低下していても比較的程度の軽い場合である。このため、ステップＳ３０３で同じ地域内の中継局をサーチすることで、受信状態のより良い中継局を発見するようにする。領域Ｂの状態でＴ２時間経過したと判定された場合（ステップＳ６０１でＹＥＳ判定）とは、これよりも受信状態が悪くワンセグ放送が受信できない場合である。このため、ステップＳ６０３で近くにある他の地域の系列局を含めてサーチすることで、受信状態のより良い中継局又は系列局を発見するようにする。領域Ｃの状態でＴ３時間経過したと判定された場合（ステップＳ６０２でＹＥＳ判定）とは、さらに受信状態が悪い場合であり、同期のとれない状態では映像・音声信号を出力する意味は殆どない。このため、ステップＳ６０４で４ダイバ合成によるチャンネルサーチをし、近くにある他の地域の系列局を含めてサーチすることで、受信状態のより良い中継局又は系列局を発見するようにする。
【００３７】
図７はステップＳ６０３のチャンネルサーチ動作を示すフローチャートである。ここで、ステップＳ４００〜Ｓ４０５は、図４で説明したフローチャートの動作と同一であり、説明を省略する。
ステップＳ４０１において、中継局のチャンネルを発見できなかった場合（ステップＳ４０２でＮＯ判定）はステップＳ７００に進む。ステップＳ７００では、サーチ制御部１８は、現在受信中の放送番組における系列局のチャンネルを探索する。
【００３８】
図８及び図９を参照して、系列局の探索方法を説明する。図８は、サーチ制御部１８に、位置情報検出部８０、記憶部８１を接続した構成を示すブロック図であり、本説明では不要なその他の受信装置１００の構成要素は記載を省略している。位置情報検出部８０は、ＧＰＳ（Ｇｌｏｂａｌ  Ｐｏｓｉｔｉｏｎｉｎｇ  Ｓｙｓｔｅｍ）などの位置情報を検出可能な手段を用いて現在の位置情報を検出してサーチ制御部１８に供給する。記憶部８１は、全国の放送局について各種情報をまとめたデータベースを記憶しており、サーチ制御部１８は適宜データベースを参照可能である。図９は、記憶部８１に格納するデータベースの一例である。同図に示すように、各放送局（９１）についてネットワークＩＤ（９２）、系列ＩＤ（９３）、中継局の送信チャンネル（９４）を記憶し、放送地域単位で管理している。
【００３９】
図９においてネットワークＩＤ（９２）の“０ｘ７ＥＥ０”は、“ＮＨＫ総合・仙台”の放送局固有のＩＤである。別の地域の放送局、例えば“ＮＨＫ総合・秋田”は、これと同じ系列であっても別なネットワークＩＤが与えられている。しかし双方とも系列ＩＤ（９３）は“０”である。ネットワークＩＤ（９２）と系列ＩＤ（９３）を参照することにより、放送局（９１）とその系列を知ることができる。
【００４０】
サーチ制御部１８は、まず、位置情報検出部８０より現在の位置情報を取得する。次に、記憶部８１に格納された現在地域のデータベースを参照し、現在受信中の放送番組と同じ系列ＩＤ（９３）を有する放送局について中継局の送信チャンネル（９４）を抽出する。そして、サーチ制御部１８は、「サーチ系統」の選局・復調部にデータベースより抽出したチャンネルを順に選局させ、番組情報抽出部１７よりＢＩＴ情報を抽出する。そして、ＢＩＴ情報に含まれている系列ＩＤ（９３）を参照し、現在受信中の放送番組の系列ＩＤ（９３）と一致していれば系列局、一致していなければ系列局ではないと判断する。このように、現在地を放送エリアとする系列局の送信チャンネルに対して探索を行うことで、受信可能な系列局を短時間で発見可能である。
【００４１】
この他にも系列局を探索する別の方法として、例えば、地上デジタル放送の全てのチャンネルを１つずつ探索して行く方法であっても良い。この場合、上記方法と比較して系列局の探索に長い時間を要する場合があるが、図９で示した位置情報検出部８０及びデータベースを格納するための記憶部８１は不要である。
【００４２】
ステップＳ７００の系列局の探索において、受信可能な系列局を発見した場合（ステップＳ７０１でＹＥＳ判定）、ステップＳ７０２に進み、発見した系列局を受信する。ステップＳ７０２では、サーチ制御部１８は、選局・復調部１１ａ〜１１ｄに対して発見した系列局のチャンネルを選局させると共に、ダイバ合成部１２に４ダイバ合成を指示する。これにより、ユーザは所望の放送番組の中継局を受信できなかった場合でも、系列局の放送番組に切換えて受信を継続することができる。
一方、ステップＳ７００において、受信可能な系列局のチャンネルを発見できなかった場合（ステップＳ７０１でＮＯ判定）、図４で説明したステップＳ４０５と同様に、チャンネルサーチ前と同じチャンネルを受信する。
【００４３】
なお、図６のステップＳ６０４における４本のアンテナを使用したチャンネルサーチを実行する場合の処理手順は、図７のフローチャートを用いて説明した処理手順において、ステップＳ４００及びＳ４０３を削除し、４つの選局・復調部１１ａ〜１１ｄを全てチャンネルサーチ動作させたものと同様である。また、この場合、サーチ制御部１８は、選局・復調部１１ａ〜１１ｄにチャンネルを選局し、ダイバ合成部１２に４つの復調信号を４ダイバ合成させて出力信号を誤り訂正部１３ｂに供給し、番組情報抽出部１７よりＮＩＴ情報（中継局を探索している場合）、ＢＩＴ情報（系列局を探索している場合）を取得する。
【００４４】
サーチ制御部１８は、チャンネルサーチを行った後に１２セグ放送が受信できない場合は、チャンネルサーチ終了時を基点として再び所定時間Ｔ１、Ｔ２、Ｔ３までのカウントを行い、図６及び図７のフローチャートで示した処理を継続させる。このため、例えば、自動車が移動して現在の受信エリアを外れて視聴中の放送番組が受信不可となった場合、チャンネルサーチを繰り返し実行し、他の受信エリアに移動した場合は、直ちに中継局又は系列局のチャンネルに切換えて受信することができる。
【００４５】
ここで、チャンネルサーチを実行するタイミング時間であるＴ１、Ｔ２、Ｔ３時間（ステップＳ６００、Ｓ６０１、Ｓ６０２）の具体例を挙げる。
まず、Ｔ１は、数１０秒〜１分程度の値を設定することにより、視聴中の放送番組が１２セグ放送からワンセグ放送に切換わり、しばらくしても１２セグ放送に復帰しない場合は、現在の番組を継続視聴しながらチャンネルサーチを実行し、受信状態が良好な中継局のチャンネルを受信し、視聴中の放送番組を高品質な１２セグ放送の受信に切換えることができる。また、この際１２セグ放送の受信に切換わらなかった場合は、繰り返しＴ１時間を経過後にチャンネルサーチを行い、１２セグ放送が視聴可能な中継局を探索する。例えば、Ｔ１時間を数分程度と長く設定すれば、チャンネルサーチを行う頻度を低減可能で、チャンネルサーチの際に継続受信用のアンテナ数が４本から２本に減少することにより受信感度が低下してしまう頻度を抑制することができる。
【００４６】
次に、Ｔ２は、Ｔ１よりも小さい数秒から数１０秒程度の値を設定することにより、視聴中の放送番組がワンセグ放送でさえ受信不可となった際に、短時間のうちにチャンネルサーチを開始し、受信可能な中継局又は系列局のチャンネルに切換えることで、放送番組の視聴中断時間を短時間に抑えることができる。
更に、Ｔ３は、Ｔ２よりも小さい時間に設定することにより、選局チャンネルの同期が取得できない程度に大きく受信状態が劣化している場合は、直ちに「受信系統」を設けずに４本のアンテナを使用して受信感度が最も良い状態でチャンネルサーチを行い、受信可能な中継局又は系列局のチャンネルに切換えることで、放送番組の視聴中断時間を短時間に抑えることができる。
【００４７】
以上のように、本発明の第２の実施形態においては、視聴中の放送番組のワンセグ放送が受信不可となった場合、短時間のうちにチャンネルサーチを開始し、受信可能な中継局又は系列局のチャンネルに切換えることができる。更に、視聴中の放送番組の同期が取得できない程度まで受信状態が劣化した場合は、チャンネルサーチ中に「受信系統」の受信状態が回復する可能性が低いため、４本のアンテナ全てを使用して受信感度を最良の状態にし、チャンネルサーチを行うことができる。
【実施例３】
【００４８】
本発明の第３の実施形態を説明する。
視聴中の放送番組の受信状態が劣化した際、その発生原因が、例えばトンネル内や地下道路、或いは屋内駐車場などのように、放送電波が一時的に遮断されたことが原因である場合、このような場所でチャンネルサーチを行ったとしても、中継局又は系列局のチャンネルを発見することはできない。これらの場所を通り抜けて放送電波の受信状態が回復した際、同じ受信エリア内である場合には、チャンネルサーチを行う前に選局していたチャンネルを受信できる可能性が大きい。そこで、これらの場所から抜け出した際に、即座に放送番組を受信するためには、第１の解決方法として、これらの場所を走行する場合は、チャンネルサーチを行わない、また第２の解決方法として、これらの場所でチャンネルサーチを行ったとしても、これらの場所を抜け出した際には、チャンネルサーチを行う前に選局していたチャンネルに、素早く自動番組復帰させることが望ましい。
【００４９】
まず、第１の解決方法を具体的に説明する。
図１０は、図１に示した受信装置１００のサーチ制御部１８に、位置情報検出部８０、ナビゲーション情報抽出部１０１を接続した構成を示すブロック図であり、本説明では不要なその他の受信装置１００の構成要素は記載を省略している。位置情報検出部８０は、図８での説明と同様に、ＧＰＳなどの位置情報を検出可能な手段を用いて現在の位置情報を検出してサーチ制御部１８に供給することができる。また、ナビゲーション情報抽出部１０１は、カーナビゲーションシステムより必要な情報を入手しサーチ制御部１８に供給することができる。
【００５０】
サーチ制御部１８は、位置情報検出部８０よりＧＰＳが測位できているか否かを示す情報を定期的に取得し、ＧＰＳが測位できていない場合は、チャンネルサーチの開始タイミングを計るための時刻カウントを停止又はリセットする。また、ＧＰＳが測位できるようになった場合は、時刻カウントを再開する。これにより、ＧＰＳが測位できていない場合は、チャンネルサーチの開始を判定するための時刻であるＴ１、Ｔ２、Ｔ３時間に達しないため、チャンネルサーチを行わせない制御が可能である（図３のステップＳ３０２、図６のステップＳ６００、Ｓ６０１、Ｓ６０２のそれぞれが常時ＮＯ判定となる）。
【００５１】
また、ＧＰＳが測位できているか否を示す情報を使用する方法以外にも、サーチ制御部１８は、ナビゲーション情報抽出部１０１より自車両がトンネル内や地下道路、或いは屋内駐車場など放送電波の受信状態が劣悪な場所を走行しているか否かを示す情報を取得し、これらの場所を走行している場合は、時刻カウントを停止又はリセットさせることで、チャンネルサーチを行わせない制御が可能である。
【００５２】
次に、第２の解決方法を具体的に説明する。
図１１は、信号品質値の時間変化と１２セグ放送の受信可否を示す閾値である。また、図１２は、信号品質値の時間変化とワンセグ放送の受信可否を示す閾値である。
【００５３】
サーチ制御部１８は、「受信系統」で継続受信し「サーチ系統」でチャンネルサーチを行っている際（すなわち、図３及び図６のステップＳ３０３、図６のステップＳ６０３）、「受信系統」において受信番組の信号品質値を定期的に取得する。そして、図１１に示すようにチャンネルサーチ中に信号品質値が１２セグ放送受信不可である状態から１２セグ放送受信可能である状態へと変化したことを検出した場合（図１１の時刻ｔ２）、又は図１２に示すようにチャンネルサーチ中に信号品質値がワンセグ放送受信不可である状態からワンセグ放送受信可能である状態へと変化したことを検出した場合（図１２の時刻ｔ２）は、チャンネルサーチを終了する。そして、サーチ制御部１８は、選局・復調部１１ａ〜１１ｄにチャンネルサーチ前の受信チャンネルを選局させると共に、ダイバ合成部１２に４ダイバ合成を指示する。これにより、ユーザは例えば放送電波が届かない又は微弱の場所でチャンネルサーチを行っていたとしても、これらの場所を抜け出したことを「受信系統」が検知し、チャンネルサーチを終了してチャンネルサーチを行う前に選局していたチャンネルに、素早く自動番組復帰することができる。
【００５４】
また、サーチ制御部１８は、４ダイバでチャンネルサーチを行っている際（すなわち、図６のステップＳ６０４）、図１０で示した位置情報検出部８０よりＧＰＳが測位できていなかった状態から測位可能となったことを検出したタイミング、又は図１０で示したナビゲーション情報抽出部１０１より自車両がトンネル内や地下道路や屋内駐車場など放送電波の受信状態が劣悪な場所から抜け出したことを示す情報を取得したタイミングで、チャンネルサーチ前の受信チャンネルを選局し、この時、１２セグ放送又はワンセグ放送が受信可能である信号品質値の場合には、チャンネルサーチを終了する。そして、サーチ制御部１８は、選局・復調部１１ａ〜１１ｄにチャンネルサーチ前の受信チャンネルを選局させる。これにより、ユーザは例えば放送電波が届かない又は微弱の場所でチャンネルサーチを行っていても、これらの場所を抜け出したことを「サーチ系統」が検知し、チャンネルサーチを終了してチャンネルサーチを行う前に選局していたチャンネルに、素早く自動番組復帰することができる。
【実施例４】
【００５５】
本発明の第４の実施形態を説明する。
図１３は、本発明の第４の実施形態における受信装置１００の構成を示すブロック図である。
【００５６】
図１で示した受信装置１００の構成と異なる部分は、誤り訂正部１３ａ、１３ｂの各々より出力されるＴＳ信号を番組情報抽出部１７に供給可能としたこと、誤り訂正部１３ｂより出力されるＴＳ信号をデコード部１４ｂにおいてデコード処理し１２セグ放送又はワンセグ放送の映像・音声信号を出力可能としたこと、デコード部１４ａ及び１４ｂの出力信号のどちらか一方をサーチ制御部１８の指示により選択して出力部１５に供給する選択部１９を設けたことである。その他の構成については、図１で示した構成と同様である。
【００５７】
図１４に、第４の実施形態における受信装置１００の動作フローチャートを示す。
まず、ステップＳ１４００はチャンネルサーチを実行していない通常の受信時であり、サーチ制御部１８は、選局・復調部１１ａ〜１１ｄにユーザ所望の放送番組に対応した選局チャンネルを設定し、またダイバ合成部１２に対して４つの復調信号による４ダイバ合成を指示し出力信号を誤り訂正部１３ａに供給させる。誤り訂正部１３ａより出力されたＴＳ信号をデコード部１４ａにてデコード処理し、切換判定部１６の指示に基づき１２セグ放送又はワンセグ放送の映像・音声信号を出力する。サーチ制御部１８は、選択部１９にデコード部１４ａからの映像・音声信号を選択させて出力部１５に供給する（図１３の経路Ａ１）。
【００５８】
次に、ステップＳ１４０１でチャンネルサーチを開始すると、選局・復調部を「受信系統」と「サーチ系統」に分割し、ダイバ合成部１２は、「受信系統」からの復調信号をダイバ合成して誤り訂正部１３ａに供給することで、放送番組を継続視聴する（図１３の経路Ａ１）。また、ダイバ合成部１２は、「サーチ系統」からの復調信号をダイバ合成して誤り訂正部１３ｂに供給し、誤り訂正部１３ｂより出力されたＴＳ信号に含まれるＮＩＴやＢＩＴなどの情報を番組情報抽出部１７において抽出し、サーチ制御部１８に供給する（図１３の経路Ｂ２）。
【００５９】
ステップＳ１４０２では、チャンネルサーチの結果、新たに受信すべき中継局又は系列局のチャンネルを発見できなかった場合は（ＮＯ判定）、ステップＳ１４００に戻る。すなわち、サーチ制御部１８は、選局・復調部１１ａ〜１１ｄにチャンネルサーチ前の選局チャンネルを設定し、ダイバ合成部１２に４ダイバ合成を指示して出力信号を誤り訂正部１３ａに供給させる。誤り訂正部１３ａより出力されたＴＳ信号をデコード部１４ａにてデコード処理し、切換判定部１６の指示に基づき１２セグ放送又はワンセグ放送の映像・音声信号を出力する。サーチ制御部１８は、選択部１９にデコード部１４ａからの映像・音声信号を選択させて出力部１５に供給する（図１３の経路Ａ１）。
【００６０】
一方、ステップＳ１４０２において、チャンネルサーチの結果、新たに受信すべき中継局又は系列局のチャンネルを発見した場合は（ＹＥＳ判定）、ステップＳ１４０３に進む。ステップＳ１４０３では、サーチ制御部１８は、まず「サーチ系統」を発見した中継局又は系列局のチャンネルに選局し、選択部１９にデコード部１４ｂからの映像・音声信号を選択させて出力部１５に供給する。次に、「受信系統」の選局・復調部に発見した中継局又は系列局のチャンネルを設定し、ダイバ合成部１２に４ダイバ合成を指示して出力信号を誤り訂正部１３ｂに供給させる（図１３の経路Ｂ１）。
【００６１】
発見した中継局又は系列局のチャンネルに切換わった後、再度チャンネルサーチを行う場合には、ステップＳ１４０４に進む。ステップＳ１４０４では、選局・復調部を「受信系統」と「サーチ系統」に分割し、ダイバ合成部１２は、「受信系統」からの復調信号をダイバ合成して誤り訂正部１３ｂに供給することで、放送番組を継続視聴する（図１３の経路Ｂ１）。また、ダイバ合成部１２は、「サーチ系統」からの復調信号をダイバ合成して誤り訂正部１３ａに供給し、誤り訂正部１３ａより出力されたＴＳ信号を番組情報抽出部１７においてＮＩＴやＢＩＴなどの情報を抽出し、サーチ制御部１８に供給する（図１３の経路Ａ２）。
【００６２】
ステップＳ１４０５では、チャンネルサーチの結果、新たに受信すべき中継局又は系列局のチャンネルを発見できなかった場合は（ＮＯ判定）、ステップＳ１４０３に戻る。すなわち、サーチ制御部１８は、選局・復調部１１ａ〜１１ｄにチャンネルサーチ前の選局チャンネルを設定し、ダイバ合成部１２に４ダイバ合成を指示して出力信号を誤り訂正部１３ｂに供給させる。誤り訂正部１３ｂより出力されたＴＳ信号をデコード部１４ｂにてデコード処理し、切換判定部１６の指示に基づき１２セグ放送又はワンセグ放送の映像・音声信号を出力する。サーチ制御部１８は、選択部１９にデコード部１４ｂからの映像・音声信号を選択させて出力部１５に供給する（図１３の経路Ｂ１）。
【００６３】
一方、ステップＳ１４０５において、チャンネルサーチの結果、新たに受信すべき中継局又は系列局のチャンネルを発見した場合は（ＹＥＳ判定）、サーチ制御部１８は、まず、「サーチ系統」を発見した中継局又は系列局のチャンネルに選局し、選択部１９にデコード部１４ａからの映像・音声信号を選択させて出力部１５に供給する。次に、「受信系統」の選局・復調部に発見した中継局又は系列局のチャンネルを設定し、ダイバ合成部１２に４ダイバ合成を指示して出力信号を誤り訂正部１３ａに供給させる（図１３の経路Ａ１）。
【００６４】
上記のチャンネルサーチを行うことで、図１の構成の場合は、中継局のチャンネルに切換える際に選局チャンネル設定からデコード部より映像・音声信号が出力されるまでの時間分だけ放送番組の途切れが発生するが、図１３に示す第４の実施形態では、デコード処理まで終了済みの映像・音声信号を選択部１９で切換えるため、放送番組の途切れは発生しないという特徴がある。
【００６５】
第１〜第４の実施形態において、「受信系統」と「サーチ系統」に割り当てる選局・復調部は共に２つずつとする分割を説明したが、「受信系統」は３つ、「サーチ系統」は１つといったように、同じ数に割り当てなくとも良い。また、選局・復調部の数は４つとして説明したが、これに限るものではなく、２つ以上であれば本発明を実施可能である。
【符号の説明】
【００６６】
１０…アンテナ部、１１…選局・復調部、１２…ダイバ合成部、１３…誤り訂正部、１４…デコード部、１５…出力部、１６…切換判定部、１７…番組情報抽出部、１８…サーチ制御部、１９・・・選択部、８０…位置情報検出部、８１・・・記憶部、１０１・・・ナビゲーション情報抽出部。
【図１】
0005400557.tif 000002
【図２】
0005400557.tif 000003
【図３】
0005400557.tif 000004
【図４】
0005400557.tif 000005
【図５】
0005400557.tif 000006
【図６】
0005400557.tif 000007
【図７】
0005400557.tif 000008
【図８】
0005400557.tif 000009
【図９】
0005400557.tif 000010
【図１０】
0005400557.tif 000011
【図１１】
0005400557.tif 000012
【図１２】
0005400557.tif 000013
【図１３】
0005400557.tif 000014
【図１４】
0005400557.tif 000015